(57)【要約】【課題】エスカレータの利用者の動きを阻害することなく、その利用者に効果的に注意を喚起する注意喚起シートを提供する。【解決手段】エスカレータの利用者に注意を喚起する注意喚起シート４は、エスカレータ乗降板２手前のエスカレータ乗り口の床３上に貼付可能であって、エスカレータ１の利用者に注意を喚起する注意喚起表示５が形成されてなる。注意喚起シート４のエスカレータ乗り口の床３に対向する面には、粘着材が塗布されている。【選択図】図１
2007284218.tif 000002
【特許請求の範囲】
【請求項１】
エスカレータ乗降板手前のエスカレータ乗り口の床上に貼付可能であって、エスカレータの利用者に注意を喚起する注意喚起表示が形成されてなる、
ことを特徴とする注意喚起シート。
【請求項２】
互いに重ね合わされた複数の層を備え、それらの層の間に注意喚起の表示層が形成されていることを特徴とする請求項１記載の注意喚起シート。
【請求項３】
エスカレータ乗り口の床に対向する面に、粘着材が塗布されていることを特徴とする請求項１または請求項２記載の注意喚起シート。
【請求項４】
前記粘着材が塗布されている面に、さらに着脱可能な保護フィルムが貼り付けられていることを特徴とする請求項３記載の注意喚起シート。
【請求項５】
エスカレータ乗降板手前のエスカレータ乗り口の床上に貼付されて利用者に注意を喚起する注意喚起シートの製造方法において、
前記床上に貼付可能な層を形成する貼付層形成工程と、
エスカレータの利用者に注意を喚起する注意喚起の表示層を形成する表示層形成工程と、
を有することを特徴とする注意喚起シートの製造方法。
【請求項６】
前記各層はそれぞれフィルムで形成されていて、
前記表示層形成工程は、前記フィルムの間の面に前記注意喚起の表示層を形成するものである、
ことを特徴とする請求項５記載の注意喚起シートの製造方法。
【請求項７】
前記貼付層形成工程は、エスカレータ乗り口の床に対向する面に粘着材を塗布する工程を有することを特徴とする請求項５または請求項６記載の注意喚起シートの製造方法。
【請求項８】
前記粘着材が塗布された面に、さらに着脱可能な保護フィルムを貼り付ける工程を有することを特徴とする請求項７記載の注意喚起シートの製造方法。
【請求項９】
乗り口から利用者を導き、踏段を介して移送するエスカレータと、
前記乗り口が配置された床上に貼付された、前記エスカレータの利用者に注意を喚起する注意喚起表示が形成されている注意喚起シートと、
を有することを特徴とするエスカレータ設備。
【発明の詳細な説明】
【技術分野】
【０００１】
本発明は、エスカレータの利用者に注意を喚起する注意喚起シートおよびその製造方法並びにエスカレータ設備に関する。
【背景技術】
【０００２】
エスカレータは、エレベータと共に、建物内における縦方向の移送手段として不可欠なものとなりつつある。一方、エスカレータは、エレベータとは異なり、動き続ける踏段に利用者がタイミングを合わせなければ、乗り込むことができない。
【０００３】
エスカレータに乗る際に、利用者は足を踏段に合わせようとするため、視線が下を向く。このため、エスカレータの利用者に注意を喚起するために、側面のガラスパネルやボードなどにステッカーを貼り付けておいても、利用者の視線はそのステッカーからはずれている場合が多く、効果的に注意を喚起することができない場合がある。
【０００４】
特許文献１には、エスカレータなどの乗り口に利用者に向けた案内を表示する方法が開示されている。また、特許文献２には、エスカレータの乗り口付近にマットを敷き、そのマットに利用者に向けた表示をする方法が開示されている。
【特許文献１】実公平３−１３５０８号公報
【特許文献２】実開平６−７６２６９号公報
【発明の開示】
【発明が解決しようとする課題】
【０００５】
エスカレータの乗り口に利用者に向けた案内を表示する場合には、一般的には金属製である乗降板そのものに、その表示を形成しておく必要があるため、その表示を変更するためには、乗降板そのものを改造する必要があり、容易ではない。
【０００６】
また、乗降板付近にマットを敷いた場合には、マットがある程度の厚みを持っているため、利用者がつまずいてしまう恐れがある。
【０００７】
そこで、本発明は、エスカレータの利用者の動きを阻害することなく、その利用者に効果的に注意を喚起する注意喚起シートを提供することを目的とする。
【課題を解決するための手段】
【０００８】
上述の目的を達成するため、本発明は、注意喚起シートにおいて、エスカレータ乗降板手前のエスカレータ乗り口の床上に貼付可能であって、エスカレータの利用者に注意を喚起する注意喚起表示が形成されてなる、ことを特徴とする。
【０００９】
また、本発明は、エスカレータ乗降板手前のエスカレータ乗り口の床上に貼付されて利用者に注意を喚起する注意喚起シートの製造方法において、前記床上に貼付可能な層を形成する貼付層形成工程と、エスカレータの利用者に注意を喚起する注意喚起の表示層を形成する表示層形成工程と、を有することを特徴とする。
【００１０】
また、本発明は、乗り口から利用者を導き、エスカレータ設備において、踏段を介して移送するエスカレータと、前記乗り口が配置された床上に貼付された、前記エスカレータの利用者に注意を喚起する注意喚起表示が形成されている注意喚起シートと、を有することを特徴とする。
【発明の効果】
【００１１】
本発明によれば、エスカレータの利用者の動きを阻害することなく、その利用者に効果的に注意を喚起することができる。
【発明を実施するための最良の形態】
【００１２】
本発明に係る注意喚起シートの実施の形態を、図面を参照して説明する。なお、同一または類似の構成には同一の符号を付し、重複する説明は省略する。
【００１３】
［第１の実施の形態］
図１は、本発明に係る第１の実施の形態の注意喚起シートをエスカレータとともに示した斜視図、すなわちエスカレータ設備を示した斜視図である。
【００１４】
エスカレータ１の乗降板２は、平滑な床３と段差がないように配置されている。乗降板２には、一般的に、利用者が乗降の際にすべることのないように、複数の溝が形成されている。
【００１５】
注意喚起シート４は乗降板２手前の床３、つまり乗降板２に対してそのエスカレータの踏段１１の反対側に貼付されている。注意喚起シート４には、利用者が視認できるように注意喚起表示５が形成されている。注意喚起表示５は、たとえば、「安全のため  手すりに  おつかまりください」という文字列である。
【００１６】
エスカレータ１に乗る利用者のほとんどは、エスカレータ１に乗る際には、足を踏段１１に合わせようとするため、視線を下に向ける。したがって、この注意喚起シート４は、側面のガラスパネルやボードに貼られている注意喚起のためのステッカーに比べて、利用者が視認しやすい位置にある。つまり、エスカレータ１の利用者は、乗降板２に近づくのに伴い自然とこの注意喚起シート４が目に入ることになり、効果的に注意を喚起することができる。
【００１７】
また、注意喚起シート４は、利用者がつまずかないように、たとえば１ｍｍ以下の薄さに形成されていることが好ましい。こうすることにより、注意喚起を記したマットに比べて、利用者がつまずいたり、転倒したりするおそれが小さい。
【００１８】
図２は、第１の実施の形態の注意喚起シート４を床３に貼付した状態を示す断面図である。
【００１９】
注意喚起シート４は、ここでは２つの層、すなわち表面層７と、表面層７の一方の面の全体に塗布された粘着材の粘着材層６を有している。粘着材層６は床３に対向していて、注意喚起シート４を床に粘着させている。
【００２０】
注意喚起表示５は、表面層７の上側の面に印刷されている。表面層７が透明であれば、粘着材層６の側に注意喚起表示５を印刷しておいても、利用者から視認可能である。なお、注意喚起表示５を形成するにあたっては、印刷以外の公知の方法を用いることができる。
【００２１】
図３は、第１の実施の形態の注意喚起シート４を床３に貼付する前の状態を示す斜視図である。
【００２２】
床３に貼付する前には、注意喚起シート４の粘着材層６の表面には、着脱容易な保護フィルム１０が貼り付けられている。すなわち、注意喚起シート４を製造して、出荷した段階では、粘着材層６が保護フィルム１０に覆われていて、輸送の途中で、他の物品に粘着することがないようになっている。
【００２３】
また、一般にエスカレータ１は、その移動方向を反転させることができる。そのため、エスカレータ１の階下側および階上側の両方の乗降板２の手前に、エスカレータの方向に向けて注意喚起シート４を粘着させておくことが好ましい。
【００２４】
［第２の実施の形態］
図４は、本発明に係る第２の実施の形態の注意喚起シート４を床３に貼付した状態を示す断面図である。
【００２５】
この注意喚起シート４は、２枚のフィルム８，９を有している。粘着材層６と接する第１のフィルム８の粘着材層６の反対側の面に、第２のフィルム９が接着されている。
【００２６】
第１のフィルム８の第２のフィルム９と接する面、または、第２のフィルム９の第１のフィルム８と接する面に、注意喚起表示５が印刷されている。このため、注意喚起表示５は、粘着材層８や利用者の靴などに直接的に接触することがなくなり、表示がかすれたり、不鮮明になったりする恐れがなくなる。
【００２７】
なお、以上の説明は単なる例示であり、本発明は上述の各実施の形態に限定されず、様々な形態で実施することができる。たとえば、ここではエスカレータを例に説明しているが、動く歩道などにも同様に適用できる。
【００２８】
また、注意喚起表示は、使用環境に応じて適宜変更してもよい。たとえば、次のような文章を用いることができる。
【００２９】
・事故防止のためベルトにおつかまりください
・事故防止のためベビーカーはご遠慮ください
・事故防止のため逆進入はおやめください
・事故防止のためお子様と手をおつなぎください
文章はできるだけ簡潔であることが好ましく、また表示する際にはできるだけ大きな文字で判り易くすることが好ましい。
【図面の簡単な説明】
【００３０】
【図１】本発明に係る第１の実施の形態の注意喚起シートをエスカレータとともに示す斜視図である。
【図２】本発明に係る第１の実施の形態の注意喚起シートを床に貼付した状態を示す断面図である。
【図３】本発明に係る第１の実施の形態の注意喚起シートを床に貼付する前の状態を示す斜視図である。
【図４】本発明に係る第２の実施の形態の注意喚起シートの断面図である。
【符号の説明】
【００３１】
１…エスカレータ、２…乗降板、３…床、４…注意喚起シート、５…注意喚起表示、６…粘着材層、７…表面層（フィルム）、８…第１のフィルム、９…第２のフィルム、１０…保護フィルム、１１…踏段
【図１】
2007284218.tif 000003
【図２】
2007284218.tif 000004
【図３】
2007284218.tif 000005
【図４】
2007284218.tif 000006